(57)【要約】画素配列構造、蒸着マスク及びプロファイル表示画面を提供し、該画素配列構造は、プロファイル表示画面のプロファイル表示に適用され、複数行及び／又は複数列の画素表示部が設けられ、隣接する行及び／又は隣接する列の一部の画素表示部が並列して又は並んで設けられて画素表示部がプロファイル表示領域（１０５）内に配列される。隣接する行及び／又は隣接する列の一部の画素表示部が並列して又は並んで設けられて画素表示部がプロファイル表示領域（１０５）内に配列される方式によって、プロファイル表示領域（１０５）の縁部におけるプロファイル表示領域（１０５）と非表示領域（１０７）の境界を明確に認識できないという現象を解消する。【選択図】図３−１
2019504360.tif 000002
【特許請求の範囲】
【請求項１】
プロファイル表示画面のプロファイル表示に適用される画素配列構造であって、
複数行及び／又は複数列の画素表示部が設けられ、隣接する行及び／又は隣接する列の一部の画素表示部が並列して又は並んで設けられてプロファイル表示領域内に配列されていることを特徴とする画素配列構造。
【請求項２】
前記プロファイル表示は、一点表示、線表示、面表示、又はそれらの組み合わせであることを特徴とする請求項１に記載の画素配列構造。
【請求項３】
前記一点表示は、単一の画素表示部が設けられた一点表示領域を有する画面に適用されることを特徴とする請求項２に記載の画素配列構造。
【請求項４】
前記線表示は、直線表示領域、斜線表示領域、及び／又は曲線表示領域である単線表示領域を有する画面に適用されることを特徴とする請求項２に記載の画素配列構造。
【請求項５】
前記斜線表示領域と水平面との間に角θを有し、前記斜線表示領域内に複数行及び／又は複数列の画素表示部が設けられ、隣接する行及び／又は隣接する列の一部の画素表示部が並列して又は並んで設けられることによって、前記斜線表示領域における最も遠い距離に位置する２つの画素表示部の間の接続線と水平面とのなす角は、角θであることを特徴とする請求項４に記載の画素配列構造。
【請求項６】
角θの変化によって、前記直線表示領域及び斜線表示領域における画素表示部の配列構造は以下のとおりであり、
θ＝９０°又は０°である場合、前記画素表示部が表示領域に縦方向又は横方向に配列され、
θ＝３０°又は１５０°である場合、前記表示領域内に複数行の画素表示部群が設けられ、各画素表示部群が横方向に並んで設けられた３つの画素表示部を含み、各画素表示部群の両端の画素表示部がそれぞれそれと隣接する画素表示部群内の単一の画素表示部と並列して設けられ、前記表示領域の一端の最外側の一行に単一の画素表示部が設けられ、前記表示領域における最も遠い距離に位置する２つの画素表示部の間の接続線と水平面とのなす角が３０°又は１５０°であり、
θ＝４５°又は１３５°である場合、前記表示領域内に複数行の画素表示部群が設けられ、各画素表示部群が横方向に並んで設けられた２つの画素表示部を含み、各画素表示部群内の２つの画素表示部がそれぞれそれと隣接する画素表示部群内の画素表示部と並列して設けられ、前記表示領域における最も遠い距離に位置する２つの画素表示部の間の接続線と水平面とのなす角が４５°又は１３５°であり、
θ＝６０°又は１２０°である場合、前記表示領域内に複数列の画素表示部群が設けられ、各画素表示部群が縦方向に並列して設けられた３つの画素表示部を含み、各画素表示部群の両端の画素表示部がそれぞれそれと隣接する画素表示部群内の単一の画素表示部と並んで設けられ、前記表示領域の両端の最外側の一列にそれぞれ単一の画素表示部が設けられ、前記表示領域における最も遠い距離に位置する２つの画素表示部の間の接続線と水平面とのなす角が６０°又は１２０°であり、
４５°＜θ＜６０°である場合、画素表示部は、θ＝６０°の場合の配列方式に従って斜線の（６０−θ）／（６０−４５）を占め、θ＝４５°の場合の配列方式に従って斜線の（θ−４５）／（６０−４５）を占め、前記表示領域の長さがＬであり、画素表示部の長さがＬ０であり、前記表示領域には、横方向に配列されたＳ１個の画素表示部と縦方向に配列されたＳ２個の画素表示部が設けられ、
【数６】
2019504360.tif 000008
６０°＜θ＜９０°である場合、画素表示部は、θ＝９０°の場合の配列方式に従って斜線の（９０−θ）／（９０−６０）を占め、θ＝６０°の場合の配列方式に従って斜線の（θ−６０）／（９０−６０）を占め、前記表示領域の長さがＬであり、画素表示部の長さがＬ０であり、前記表示領域には、横方向に配列されたＳ３個の画素表示部と縦方向に配列されたＳ４個の画素表示部が設けられていることを特徴とする請求項５に記載の画素配列構造。
【数７】
2019504360.tif 000009
【数８】
2019504360.tif 000010
【請求項７】
前記表示領域が曲線表示領域である場合、曲線表示領域は、角度の異なる短い斜め線分に分けられ、各斜め線分に２〜３個の画素表示部が設けられ、
前記斜め線分内に複数行及び／又は複数列の画素表示部が設けられ、隣接する行及び／又は隣接する列の一部の画素表示部が並列して又は並んで設けられて斜め線分における最も遠い距離に位置する２つの画素表示部の間の接続線と水平面とのなす角は、角θであることを特徴とする請求項５に記載の画素配列構造。
【請求項８】
前記面表示は、画素を配列する場合に、角度の異なる斜線表示領域と境界線表示領域に分けられる面表示領域を有する画面に適用され、
各斜線表示領域に複数行及び／又は複数列の画素表示部が設けられ、隣接する行及び／又は隣接する列の一部の画素表示部が並列して又は並んで設けられて斜線表示領域における最も遠い距離に位置する２つの画素表示部の間の接続線と水平面とのなす角を斜線と水平面とのなす角に等しくし、
境界線表示領域は、角度の異なる短い斜め線分表示領域に分けられ、各斜め線分表示領域内に２〜３個の画素表示部が設けられ、前記斜め線分表示領域内に複数行及び／又は複数列の画素表示部が設けられ、隣接する行及び／又は隣接する列の一部の画素表示部が並列して又は並んで設けられて斜め線分表示領域における最も遠い距離に位置する２つの画素表示部の間の接続線と水平面とのなす角を斜め線分と水平面とのなす角に等しくすることを特徴とする請求項２に記載の画素配列構造。
【請求項９】
前記画素表示部は、赤色発光副画素、緑色発光副画素、青色発光副画素のうちの一種又は複数種を含むことを特徴とする請求項１〜８のいずれか一項に記載の画素配列構造。
【請求項１０】
プロファイル表示領域と非表示領域に分けられる基板と、基板に設けられ、連続的な格子構造が形成される複数の画素画定層が設けられるＴＦＴ駆動層とを含むプロファイル表示画面であって、
前記プロファイル表示領域に位置する画素画定層が開孔構造であり、前記非表示領域に位置する画素画定層が非開孔状態であり、前記プロファイル表示領域内に請求項１〜９のいずれか一項に記載の画素配列構造で配列された画素表示部が設けられていることを特徴とするプロファイル表示画面。
【請求項１１】
外側にマスクフレーム（１２１）とシャドーマスク（１２０）が順次設けられ、複数のウィンドウ領域（１２４）を含んで平行に設けられる複数のマスクストライプ（１２３）を含むプロファイル表示画面を製造するための蒸着マスクであって、前記ウィンドウ領域（１２４）には、前記プロファイル表示領域の画素配列構造に適合するフルエッチング開孔領域（１２６）と、ハーフエッチング開孔領域（１２５）とが設けられていることを特徴とするプロファイル表示画面を製造するための蒸着マスク。
【請求項１２】
請求項１０に記載のプロファイル表示画面の製造方法であって、
基板にＴＦＴ駆動層を製造し、かつＴＦＴ駆動層に有機フォトレジスト層を塗布するステップと、プロファイル表示領域内の有機フォトレジスト層を露光現像することにより、開孔構造を有し配列構造がプロファイル表示領域内の画素配列構造に適合する画素画定層を形成するステップと、請求項１１に記載の蒸着マスクを用いて開孔構造を有する画素画定層に画素表示部を堆積するステップとを含むことを特徴とするプロファイル表示画面の製造方法。
【請求項１３】
前記蒸着マスクのフルエッチング開孔領域（１２６）は、前記プロファイル表示領域の画素配列構造に適合することを特徴とする請求項１２に記載のプロファイル表示画面の製造方法。
【発明の詳細な説明】
【技術分野】
【０００１】
本発明は、有機発光表示の分野に属し、具体的には、プロファイル表示用の画素配列構造、プロファイル表示用の画素配列構造を製造するための蒸着マスク及びプロファイル表示画面に関する。
【背景技術】
【０００２】
有機発光表示装置（英語のフルネームはＯｒｇａｎｉｃ  Ｌｉｇｈｔ−Ｅｍｉｔｔｉｎｇ  ｄｉｓｐｌａｙであり、ＯＬＥＤと略称する）は、自己発光し、軽薄で、大視角で、応答速度が速く、省エネルギーで、温度許容範囲が大きく、フレキシブル表示及び透明表示を実現できるなどの利点を有し、次世代の最も潜在的な新規のフラットパネル表示技術とみなされる。
【０００３】
人々の表示分野に対する需要が多種多様になるにつれて、プロファイル表示装置は、ますます人気になっている。従来の画素配列構造が格子状配列であり、プロファイル表示領域の縁部における画素が階段状配列を用い、これらの階段状配列が規則正しくなく、かつ常に表示領域から大きく超えるので、他の層の材料の浪費を引き起こすとともに、プロファイル表示画面のフレームを狭くしにくいため、表示領域と非表示領域の境界を明確に認識することができない。
【発明の開示】
【０００４】
本発明は、隣接する行及び／又は列の一部の画素表示部が並列して又は並んで設けられて画素表示部がプロファイル表示領域内に配列される方式によって、表示領域の縁部における表示領域と非表示領域の境界を明確に認識できないという現象を解消するプロファイル表示領域の画素配列構造を提供する。
本発明は、さらに、前記プロファイル表示の画素配列構造を製造するための蒸着マスク、及びプロファイル表示画面を提供する。
【０００５】
上記技術的課題を解決するために、本発明は、以下の技術手段によって実現される。
画素配列構造は、プロファイル表示画面のプロファイル表示に適用され、複数行及び／又は複数列の画素表示部が設けられ、隣接する行及び／又は隣接する列の一部の画素表示部が並列して又は並んで設けられてプロファイル表示領域内に配列されている。
【０００６】
前記プロファイル表示は、一点表示、線表示、面表示、又はそれらの組み合わせである。
【０００７】
前記一点表示は、単一の画素表示部が設けられた一点表示領域を有する画面に適用される。
【０００８】
前記線表示は、直線表示領域、斜線表示領域、及び／又は曲線表示領域である単線表示領域を有する画面に適用される。
【０００９】
前記斜線表示領域と水平面との間に角θを有し、前記斜線表示領域内に複数行及び／又は複数列の画素表示部が設けられ、隣接する行及び／又は隣接する列の一部の画素表示部が並列して又は並んで設けられて斜線表示領域における最も遠い距離に位置する２つの画素表示部の間の接続線と水平面とのなす角をθとする。
【００１０】
θ角の変化によって、前記直線表示領域及び斜線表示領域における画素表示部の配列構造は、以下のとおりである。
【００１１】
θ＝９０°又は０°である場合、前記画素表示部は、縦方向又は横方向に表示領域に配列され、
θ＝３０°又は１５０°である場合、前記表示領域内に複数行の画素表示部群が設けられ、各画素表示部群が横方向に並んで設けられた３つの画素表示部を含み、各画素表示部群の両端の画素表示部がそれぞれそれと隣接する画素表示部群内の単一の画素表示部と並列して設けられ、前記表示領域の一端の最外側の一行に単一の画素表示部が設けられ、前記表示領域における最も遠い距離に位置する２つの画素表示部の間の接続線と水平面とのなす角が３０°又は１５０°であり、
θ＝４５°又は１３５°である場合、前記表示領域内に複数行の画素表示部群が設けられ、各画素表示部群が横方向に並んで設けられた２つの画素表示部を含み、各画素表示部群内の２つの画素表示部がそれぞれそれと隣接する画素表示部群内の画素表示部と並列して設けられ、前記表示領域における最も遠い距離に位置する２つの画素表示部の間の接続線と水平面とのなす角が４５°又は１３５°であり、
θ＝６０°又は１２０°である場合、前記表示領域内に複数列の画素表示部群が設けられ、各画素表示部群が縦方向に並列して設けられた３つの画素表示部を含み、各画素表示部群の両端の画素表示部がそれぞれそれと隣接する画素表示部群内の単一の画素表示部と並んで設けられ、前記表示領域の両端の最外側の一列にそれぞれ単一の画素表示部が設けられ、前記表示領域における最も遠い距離に位置する２つの画素表示部の間の接続線と水平面とのなす角が６０°又は１２０°であり、
４５°＜θ＜６０°である場合、画素表示部は、θ＝６０°の場合の配列方式に従って斜線の（６０−θ）／（６０−４５）を占め、θ＝４５°の場合の配列方式に従って斜線の（θ−４５）／（６０−４５）を占め、前記表示領域の長さがＬであり、画素表示部の長さがＬ０であり、前記表示領域には、横方向に配列されたＳ１個の画素表示部と縦方向に配列されたＳ２個の画素表示部が設けられ、
【数１】
2019504360.tif 000003
６０°＜θ＜９０°である場合、画素表示部は、θ＝９０°の場合の配列方式に従って斜線の（９０−θ）／（９０−６０）を占め、θ＝６０°の場合の配列方式に従って斜線の（θ−６０）／（９０−６０）を占め、前記表示領域の長さがＬであり、画素表示部の長さがＬ０であり、前記表示領域には、横方向に配列されたＳ３個の画素表示部と縦方向に配列されたＳ４個の画素表示部が設けられ、
【数２】
2019504360.tif 000004
【数３】
2019504360.tif 000005
前記表示領域が曲線表示領域である場合、曲線表示領域は、角度の異なる短い斜め線分に分けられ、各斜め線分に２〜３個の画素表示部が設けられ、
前記斜め線分内に複数行及び／又は複数列の画素表示部が設けられ、隣接する行及び／又は隣接する列の一部の画素表示部が並列して又は並んで設けられて斜め線分における最も遠い距離に位置する２つの画素表示部の間の接続線と水平面とのなす角をθとする。
【００１２】
前記面表示は、画素を配列する場合に、角度の異なる斜線表示領域と境界線表示領域に分けられる面表示領域を有する画面に適用され、
各斜線表示領域に複数行及び／又は複数列の画素表示部が設けられ、隣接する行及び／又は隣接する列の一部の画素表示部が並列して又は並んで設けられて斜線表示領域における最も遠い距離に位置する２つの画素表示部の間の接続線と水平面とのなす角を斜線と水平面とのなす角に等しくし、
境界線表示領域は、角度の異なる短い斜め線分表示領域に分けられ、各斜め線分表示領域内に２〜３個の画素表示部が設けられ、前記斜め線分表示領域内に複数行及び／又は複数列の画素表示部が設けられ、隣接する行及び／又は隣接する列の一部の画素表示部が並列して又は並んで設けられて斜め線分表示領域における最も遠い距離に位置する２つの画素表示部の間の接続線と水平面とのなす角を斜め線分と水平面とのなす角に等しくする。
【００１３】
前記画素表示部は、赤色発光副画素、緑色発光副画素、青色発光副画素のうちの一種又は複数種を含む。
【００１４】
プロファイル表示画面は、プロファイル表示領域と非表示領域に分けられる基板と、基板に設けられ、連続的な格子構造が形成される複数の画素画定層が設けられるＴＦＴ駆動層とを含み、前記プロファイル表示領域に位置する画素画定層が開孔構造であり、前記非表示領域に位置する画素画定層が非開孔状態であり、前記プロファイル表示領域内に上記画素配列構造が設けられている。
【００１５】
プロファイル表示画面を製造するための蒸着マスクは、外側にマスクフレームとシャドーマスクが順次設けられ、複数のウィンドウ領域を含んで平行に設けられる複数のマスクストライプを含み、前記ウィンドウ領域には、前記プロファイル表示領域の画素配列構造に適合するフルエッチング開孔領域と、ハーフエッチング開孔領域とが設けられている。
【００１６】
プロファイル表示画面の製造方法は、
基板にＴＦＴ駆動層を製造し、かつＴＦＴ駆動層に有機フォトレジスト層を塗布するステップと、プロファイル表示領域内の有機フォトレジスト層を露光現像することにより、開孔構造を有し配列構造がプロファイル表示領域内の画素配列構造に適合する画素画定層を形成するステップと、上記蒸着マスクを用いて開孔構造を有する画素画定層に画素表示部を堆積するステップとを含む。
【００１７】
前記蒸着マスクのフルエッチング開孔領域は、前記プロファイル表示領域の画素配列構造に適合する。
【００１８】
本発明の上記技術手段は、従来の技術に比べて、以下の利点を有する。
（１）本発明に係るプロファイル表示用の画素配列構造は、プロファイル表示領域内に複数行及び／又は複数列の画素表示部が設けられ、隣接する行及び／又は隣接する列の一部の画素表示部が並列して又は並んで設けられて画素表示部がプロファイル表示領域内に配列される。プロファイル表示領域に従って異なる画素表示部の配列構造を用いると、プロファイル表示領域、特にプロファイル表示領域の縁部を最も正確に制御することにより、プロファイル表示領域の縁部が滑らかで、明瞭になることができる。また、後続きの膜層の設計に役立ち、材料の浪費を引き起こすことがない。
【００１９】
（２）プロファイル表示領域が一点表示領域、線表示領域、面表示領域、又はそれらの組み合わせである場合、画素表示部の配列構造は以下のとおりである。
【００２０】
（２−１）プロファイル表示領域が一点表示領域である場合、一点表示領域に位置する画素画定層が開孔構造であり、前記非表示領域に位置する画素画定層が非開孔状態であり、開孔構造を有する画素画定層内に単一の画素表示部が設けられている。
【００２１】
（２−２）プロファイル表示領域が直線又は斜線表示領域である場合、線表示領域に位置する画素画定層が開孔構造であり、前記非表示領域に位置する画素画定層が非開孔状態であり、開孔構造を有する画素画定層内に複数行及び／又は複数列の画素表示部が設けられ、隣接する行及び／又は隣接する列の一部の画素表示部が並列して又は並んで設けられて斜線表示領域における最も遠い距離に位置する２つの画素表示部の間の接続線と水平面とのなす角をθとする。θ角の角度は異なり、例えば、３０°、４５°、６０°などであり、その画素表示部の配列も異なり、斜線角度の変化に応じて画素表示部の配列を調整し、プロファイル表示領域の境界を明確に認識できないという問題を最大限に回避する。
【００２２】
（２−３）プロファイル表示領域が曲線表示領域である場合、曲線表示領域を角度の異なる短い斜め線分に分け、各斜め線分に２〜３個の画素表示部が設けられ、各斜め線分を角度に応じて、前記斜め線分の画素配列構造のルールに従って配列する。
【００２３】
（２−４）プロファイル表示領域が面表示領域である場合、面表示領域を角度の異なる斜線表示領域と境界線表示領域に分け、前記斜線表示領域を角度に応じて、前記斜線表示領域の画素配列構造のルールに従って配列し、さらに、境界線表示領域を角度の異なる短い斜め線分表示領域に分け、各斜め線分表示領域に２〜３個の画素表示部が設けられ、各斜め線分表示領域を角度に応じて、前記斜め線分表示領域の画素配列構造のルールに従って配列する。
【００２４】
（３）本発明のプロファイル表示画面の画素画定層は、分布領域に従って異なり、プロファイル表示領域に位置する画素画定層が開孔構造であり、非表示領域に位置する画素画定層が非開孔状態であり、このような方式によれば、表示領域の位置の確定を実現し、材料を節約することができる。
【図面の簡単な説明】
【００２５】
本発明の内容をより明瞭に理解しやすくするために、以下、図面を参照しながら、本発明をさらに詳細に説明する。
【図１】図１は、本発明のプロファイル表示領域の画素配列構造の構造概略図である。
【図２−１】図２−１は、点状プロファイル表示領域の画素配列構造の構造概略図である。
【図２−２】図２−２は、点状プロファイル表示領域の画素配列構造の構造概略図である。
【図３−１】図３−１は、線状プロファイル表示領域の画素配列構造の構造概略図である。
【図３−２】図３−２は、線状プロファイル表示領域の画素配列構造の構造概略図である。
【図４−１】図４−１は、面状プロファイル表示領域の画素配列構造の構造概略図である。
【図４−２】図４−２は、面状プロファイル表示領域の画素配列構造の構造概略図である。
【図５−１】図５−１は、面状プロファイル表示領域の画素配列構造の別の実施形態の概略図である。
【図５−２】図５−２は、面状プロファイル表示領域の画素配列構造の別の実施形態の概略図である。
【図６−１】図６−１は、画素表示部の配列構造の概略図である。
【図６−２】図６−２は、画素表示部の配列構造の概略図である。
【図６−３】図６−３は、画素表示部の配列構造の概略図である。
【図６−４】図６−４は、画素表示部の配列構造の概略図である。
【図６−５】図６−５は、画素表示部の配列構造の概略図である。
【図７】図７は、画素表示部の概略図である。
【図８】図８は、蒸着マスクの構造概略図である。
【図９】図９は、マスクストライプの詳細図である。
【図１０】図１０は、ウィンドウ領域の構造概略図である。
【発明を実施するための形態】
【００２６】
本発明の目的、技術手段及び利点をより明確にするために、以下、図面を参照しながら、本発明の実施形態をさらに詳細に説明する。
本発明は、ここで記載される実施例に限定されるものではなく、様々な形態で実施することが可能であると理解すべきである。逆に、これらの実施形態を提供することにより、本開示が徹底し完全になり、かつ、当業者に本発明の思想を十分に伝達し、本発明は請求項にのみ限定される。図面において、明瞭化のために、層及び領域のサイズ及び相対的サイズを誇張している場合がある。素子、例えば層、領域又は基板が別の素子「の上」に「形成される」又は「設けられる」と記載される場合、該素子は前記別の素子に直接設けられても、それらの間に介在している素子が存在してもよいと理解すべきである。逆に、素子が別の素子に「直接形成される」又は「直接設けられる」と記載される場合、それらの間に介在している素子が存在しない。
【００２７】
図１〜図７に示すように、本発明は、プロファイル表示用の画素配列構造、及びこのような画素配列構造が設けられているプロファイル表示画面を提供し、前記プロファイル表示画面は、図１に示すように、パッケージして密閉空間を形成する基板１０１及びパッケージ層１０４を含み、基板１０１にプロファイル表示領域１０５と非表示領域１０７が分けられ、前記基板１０１にＴＦＴ駆動層１０２と複数の画素画定層１０３が順次積層して設けられ、前記画素画定層１０３が連続的な格子構造を形成し、前記プロファイル表示領域１０５に位置する画素画定層１０３が開孔構造であり、前記非表示領域１０７に位置する画素画定層１０３が非開孔状態であり、前記プロファイル表示領域１０５内の画素画定層１０３内に複数行及び／又は複数列の画素表示部１０６が設けられ、隣接する行及び／又は列の一部の画素表示部１０６が並列して又は並んで設けられて画素表示部１０６をプロファイル表示領域１０５内に配列し、前記画素表示部１０６は、赤色発光副画素、緑色発光副画素、青色発光副画素のうちの一種又は複数種を含む。前記プロファイル表示領域１０５は、一点表示領域、線表示領域、面表示領域、又はそれらの組み合わせである。  
【００２８】
図８〜図１０に示すように、本発明は、さらに、外側にマスクフレーム１２１とシャドーマスク１２０が順次設けられ、複数のウィンドウ領域１２４を含んで平行に設けられる複数のマスクストライプ１２３を含むプロファイル表示画面を製造するための蒸着マスクであって、前記ウィンドウ領域１２４には、前記プロファイル表示領域１０５の画素配列構造に適合するフルエッチング開孔領域１２６と、マスクストライプにかかる応力を緩和し、フルエッチング開孔領域１２６の開孔が変形することを防止するためのハーフエッチング開孔領域１２５とが設けられていることを特徴とするプロファイル表示画面を製造するための蒸着マスクを提供する。上記プロファイル表示領域１０５の形状に応じて、フルエッチング開孔領域１２６の形状を調整し、図８〜１０の蒸着マスクは、面表示のプロファイル表示画面の製造に適用される。
【００２９】
プロファイル表示画面の製造方法は、基板１０１にＴＦＴ駆動層１０２を製造し、かつＴＦＴ駆動層１０２に有機フォトレジスト層を塗布するステップと、プロファイル表示領域１０５内の有機フォトレジスト層を露光現像することにより、開孔構造を有し配列構造がプロファイル表示領域１０５内の画素配列構造に適合する画素画定層１０３を形成するステップと、蒸着マスクを用いて開孔構造を有する画素画定層１０３に画素表示部１０６を堆積するステップとを含む。前記蒸着マスクのフルエッチング開孔領域１２６は、前記プロファイル表示領域１０５の画素配列構造に適合する。
【００３０】
プロファイル表示領域１０５に従って、以下の実施例を有する。
実施例１−−一点表示のプロファイル表示画面
本実施例のプロファイル表示画面は、図２−１及び図２−２に示すように、パッケージして密閉空間を形成する基板層１０１及びパッケージ層１０４を含み、基板１０１にプロファイル表示領域１０５と非表示領域１０７が分けられ、前記基板１０１にＴＦＴ駆動層１０２と複数の画素画定層１０３が順次積層して設けられ、前記画素画定層１０３が連続的な格子構造を形成し、前記プロファイル表示領域１０５に位置する画素画定層１０３が開孔構造であり、前記非表示領域１０７に位置する画素画定層１０３が非開孔状態であり、前記プロファイル表示領域１０５が一点表示領域であり、前記画素画定層１０３内に単一の画素表示部１０６が設けられている。必要に応じて、同一の画面に複数の一点表示領域が設けられ、開孔構造を有する各画素画定層１０３内に単一の画素表示部１０６が設けられてもよい。
【００３１】
本実施例の一点表示のプロファイル表示画面の製造方法は、以下のステップを含む。
基板１０１にＴＦＴ駆動層１０２を製造し、かつＴＦＴ駆動層１０２に有機フォトレジスト層を塗布し、一点表示領域内の有機フォトレジスト層を露光現像することにより、開孔構造を有する画素画定層１０３を形成し、非表示領域１０７のフォトレジスト層を露光せず、非開孔構造の画素画定層となる。前記開孔構造の画素画定層の配列構造は、一点表示領域内の画素配列構造に適合し、蒸着マスクを用いて開孔構造を有する画素画定層１０３に画素表示部１０６を堆積する。前記蒸着マスクのフルエッチング開孔領域１２６は、前記一点表示領域の画素配列構造に適合する。
【００３２】
実施例２−−直線表示のプロファイル表示画面
本実施例のプロファイル表示画面の構造は、実施例１と同様であり、プロファイル表示領域１０５は水平直線又は垂直直線であり、前記プロファイル表示領域１０５内の画素配列構造は、図６−１及び図６−２に示すように、前記画素表示部１０６が表示領域に横方向又は縦方向に配列されている。
【００３３】
本実施例の直線表示のプロファイル表示画面の製造方法は、以下のステップを含む。
基板１０１にＴＦＴ駆動層１０２を製造し、かつＴＦＴ駆動層１０２に有機フォトレジスト層を塗布し、直線表示領域内の有機フォトレジスト層を露光現像することにより、開孔構造を有する画素画定層１０３を形成し、非表示領域１０７のフォトレジスト層を露光せず、非開孔構造の画素画定層となる。前記開孔構造の画素画定層の配列構造は、直線表示領域内の画素配列構造に適合し、蒸着マスクを用いて開孔構造を有する画素画定層１０３に画素表示部１０６を堆積する。前記蒸着マスクのフルエッチング開孔領域１２６は、前記直線表示領域の画素配列構造に適合する。
【００３４】
実施例３−−斜線表示のプロファイル表示画面
本実施例のプロファイル表示画面の構造は、実施例１と同様であり、プロファイル表示領域１０５は斜線表示領域であり、斜線と水平面とのなす角が鋭角でも鈍角でもよく、鋭角と鈍角（例えば、３０°と１５０°、４５°と１３５°、６０°と１２０°など）の斜線が垂直方向に鏡像構造であることを考慮すると、本実施例では鋭角を例として説明し、対応する鈍角の斜線表示領域の配列方式は、本実施例を基に鏡像を作成すれば得られる。
【００３５】
本実施例に係る斜線表示領域と水平面との間に角θを有し、前記斜線表示領域内に複数行及び／又は複数列の画素表示部１０６が設けられ、隣接する行及び／又は列の一部の画素表示部１０６が並列して又は並んで設けられて表示領域における最も遠い距離に位置する２つの画素表示部１０６の間の接続線と水平面とのなす角をθとする。詳細には、以下のとおりである。
【００３６】
θ＝３０°である場合、前記表示領域内に複数行の画素表示部群が設けられ、図６−３に示すように、各画素表示部群は、横方向に並んで設けられた３つの画素表示部を含み、各画素表示部群の両端の画素表示部は、それぞれと隣接する画素表示部群内の単一の画素表示部と並列して設けられ、前記表示領域の一端の最外側の一行に単一の画素表示部が設けられ、前記表示領域における最も遠い距離に位置する２つの画素表示部の間の接続線と水平面とのなす角が３０°であり、具体的には、紙面方向から見ると、図６−３に示すように、表示領域における下から上への第１行及び第２行の画素表示部群は、それぞれ横方向に並んで設けられた３つの画素表示部を含み、前記第１行の最右端の画素表示部と第２行の最左端の画素表示部が同一列に位置し、前記第３行に単一の画素表示部が設けられ、かつ前記第２行の最右端の画素表示部と同一列に位置する。以下、同様に、斜線表示領域の長さが図中の長さより長ければ、第１行及び第２行の画素配列構造を重複すればよい。
【００３７】
θ＝４５°である場合、前記表示領域内に複数行の画素表示部群が設けられ、各画素表示部群は、横方向に並んで設けられた２つの画素表示部を含み、各画素表示部群内の２つの画素表示部は、それぞれそれと隣接する画素表示部群内の画素表示部と並列して設けられ、前記表示領域における最も遠い距離に位置する２つの画素表示部の間の接続線と水平面とのなす角が４５°である。具体的には、紙面方向から見ると、図６−４に示すように、表示領域における下から上への第１行、第２行及び第３行の画素表示部群は、それぞれ横方向に並んで設けられた２つの画素表示部を含み、前記第１行の右端の画素表示部と第２行の左端の画素表示部が同一列に位置し、第２行の右端の画素表示部と第３行の左端の画素表示部が同一列に位置する。以下、同様に、斜線表示領域の長さが図中の長さより長ければ、第１行及び第２行の画素配列構造を重複すればよい。
【００３８】
θ＝６０°である場合、前記表示領域内に複数列の画素表示部群が設けられ、各画素表示部群は、縦方向に並列して設けられた３つの画素表示部を含み、各画素表示部群の両端の画素表示部は、それぞれそれと隣接する画素表示部群内の単一の画素表示部と並列して設けられ、前記表示領域の両端の最外側の一列にそれぞれ単一の画素表示部が設けられ、前記表示領域における最も遠い距離に位置する２つの画素表示部の間の接続線と水平面とのなす角が６０°である。具体的には、紙面方向から見ると、図６−５に示すように、表示領域における左から右への第２列及び第３列の画素表示部群は、それぞれ縦方向に並列して設けられた３つの画素表示部を含み、前記第２列の最上端の画素表示部と第３列最下端の画素表示部が同一行に位置し、第１列と第４列にそれぞれ単一の画素表示部が設けられ、前記第１列の単一の画素表示部と前記第２列の最下端の画素表示部が同一行に位置し、前記第４列の単一の画素表示部と前記３列の最上端の画素表示部が同一行に位置する。以下、同様に、斜線表示領域の長さが図中の長さより長ければ、第２列及び第３列の画素配列構造を重複すればよい。
【００３９】
４５°＜θ＜６０°である場合、画素表示部は、６０°の角の斜線の配列方式に従って斜線の（６０−θ）／（６０−４５）を占め、θ＝４５°の場合の配列方式に従って斜線の（θ−４５）／（６０−４５）を占め、具体的には、θ＝５０°である場合、画素表示部は、６０°の角の斜線の配列方式に従って斜線の（６０−５０）／（６０−４５）＝１０／１５＝２／３を占め、画素表示部は、４５°の角の斜線の配列方式に従って斜線の（５０−４５）／（６０−４５）＝５／１５＝１／３を占める。すなわち、該斜線表示領域において、２／３の画素配列構造は、６０°の角の斜線の画素配列ルールに従って配列され、１／３の画素配列構造は、４５°の角の斜線の画素配列ルールに従って配列され、前記表示領域における最も遠い距離に位置する２つの画素表示部の間の接続線と水平面とのなす角は５０°である。前記表示領域の長さがＬであり、画素表示部の長さがＬ０であり、前記表示領域に横方向に配列されたＳ１個の画素表示部と縦方向に配列されたＳ２個の画素表示部が設けられている。
【数４】
2019504360.tif 000006
【００４０】
６０°＜θ＜９０°である場合、画素表示部は、θ＝９０°の配列方式に従って斜線の（９０−θ）／（９０−６０）を占め、θ＝６０°の配列方式に従って斜線の（θ−６０）／（９０−６０）を占め、前記表示領域の長さがＬであり、画素表示部の長さがＬ０であり、前記表示領域に横方向に配列されたＳ３個の画素表示部と縦方向に配列されたＳ４個の画素表示部が設けられている。
【数５】
2019504360.tif 000007
【００４１】
実施例４−−曲線表示領域  本実施例のプロファイル表示画面の構造は、実施例１と同様であり、プロファイル表示領域１０５は、図３−１及び図３−２に示す曲線表示領域である。曲線表示領域は、角度の異なる短い斜め線分に分けられ、各斜め線分に２〜３個の画素表示部１０６が設けられ、前記斜め線分内に複数行及び／又は複数列の画素表示部１０６が設けられ、隣接する行及び／又は隣接する列の一部の画素表示部１０６が並列して又は並んで設けられて斜め線分における最も遠い距離に位置する２つの画素表示部１０６の間の接続線と水平面とのなす角をθとする。各斜め線分と水平面とのなす角に応じて、画素表示部１０６は、実施例３の方式に従って配列される。
【００４２】
本実施例の曲線表示のプロファイル表示画面の製造方法は、以下のステップを含む。
基板１０１にＴＦＴ駆動層１０２を製造し、かつＴＦＴ駆動層１０２に有機フォトレジスト層を塗布し、曲線表示領域内の有機フォトレジスト層を露光現像することにより、開孔構造を有する画素画定層１０３を形成し、非表示領域１０７のフォトレジスト層を露光せず、非開孔構造の画素画定層となる。前記開孔構造の画素画定層の配列構造は、曲線表示領域内の画素配列構造に適合し、蒸着マスクを用いて開孔構造を有する画素画定層に画素表示部１０６を堆積する。前記蒸着マスクのフルエッチング開孔領域１２６は、前記曲線表示領域の画素配列構造に適合する。
【００４３】
実施例５−−面表示のプロファイル表示画面
本実施例のプロファイル表示画面の構造は、実施例１と同様であり、プロファイル表示領域１０５は、図５−１及び図５−２に示す面表示領域である。面表示領域は、角度の異なる斜線表示領域と境界線表示領域に分けられ、
各斜線表示領域に複数行及び／又は複数列の画素表示部１０６が設けられ、隣接する行及び／又は隣接する列の一部の画素表示部１０６が並列して又は並んで設けられて斜線表示領域における最も遠い距離に位置する２つの画素表示部１０６の間の接続線と水平面とのなす角を斜線と水平面とのなす角に等しくし、具体的には、各斜線と水平面とのなす角に応じて、画素表示部１０６は、実施例３の方式に従って配列される。
【００４４】
境界線表示領域を角度の異なる短い斜め線分表示領域に分け、各斜め線分表示領域内に２〜３個の画素表示部１０６が設けられ、前記斜め線分表示領域内に複数行及び／又は複数列の画素表示部１０６が設けられ、隣接する行及び／又は隣接する列の一部の画素表示部１０６が並列して又は並んで設けられて斜め線分表示領域における最も遠い距離に位置する２つの画素表示部１０６の間の接続線と水平面とのなす角を斜め線分と水平面とのなす角に等しくし、具体的には、各斜め線分と水平面とのなす角に応じて、画素表示部１０６は、実施例３の方式に従って配列される。
【００４５】
本実施例の面表示のプロファイル表示画面の製造方法は、以下のステップを含む。
【００４６】
基板１０１にＴＦＴ駆動層１０２を製造し、かつＴＦＴ駆動層１０２に有機フォトレジスト層を塗布し、面表示のプロファイル表示領域１０５内の有機フォトレジスト層を露光現像することにより、開孔構造を有する画素画定層１０３を形成し、非表示領域１０７のフォトレジスト層を露光せず、非開孔構造の画素画定層１０３となる。前記開孔構造の画素画定層１０３の配列構造は、面表示領域内の画素配列構造に適合し、蒸着マスクを用いて開孔構造を有する画素画定層１０３に画素表示部１０６を堆積する。前記蒸着マスクのフルエッチング開孔領域１２６は、前記面表示領域の画素配列構造に適合する。
【００４７】
明らかに、上記実施例は、実施形態を制限するものではなく、明確に説明するために例示したものに過ぎない。当業者であれば、上記説明を基に他の種々の変形又は変更を行うことができる。ここで、全ての実施形態を列挙する可能性も必要性もない。これから導出した明らかな変形又は変更は依然として本発明の保護範囲内に含まれるべきである。
【符号の説明】
【００４８】
図面における符号の説明は、以下のとおりである。
１０１−基板、１０２−ＴＦＴ駆動層、１０３−画素画定層、１０４−パッケージ層、１０５−プロファイル表示領域、１０６−画素表示部、１０７−非表示領域、１２０−シャドーマスク、１２１−マスクフレーム、１２３−マスクストライプ、１２４−ウィンドウ領域、１２５−ハーフエッチング開孔領域、１２６−フルエッチング開孔領域。
【図１】
2019504360.tif 000011
【図２−１】
2019504360.tif 000012
【図２−２】
2019504360.tif 000013
【図３−１】
2019504360.tif 000014
【図３−２】
2019504360.tif 000015
【図４−１】
2019504360.tif 000016
【図４−２】
2019504360.tif 000017
【図５−１】
2019504360.tif 000018
【図５−２】
2019504360.tif 000019
【図６−１】
2019504360.tif 000020
【図６−２】
2019504360.tif 000021
【図６−３】
2019504360.tif 000022
【図６−４】
2019504360.tif 000023
【図６−５】
2019504360.tif 000024
【図７】
2019504360.tif 000025
【図８】
2019504360.tif 000026
【図９】
2019504360.tif 000027
【図１０】
2019504360.tif 000028
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
プロファイル表示画面のプロファイル表示に適用される画素配列構造であって、
複数行及び／又は複数列の画素表示部が設けられ、隣接する行及び／又は隣接する列の一部の画素表示部が並列して又は並んで設けられてプロファイル表示領域内に配列されていることを特徴とする画素配列構造。
【請求項２】
前記プロファイル表示は、一点表示、線表示、面表示、又はそれらの組み合わせであることを特徴とする請求項１に記載の画素配列構造。
【請求項３】
前記一点表示は、単一の画素表示部が設けられた一点表示領域を有する画面に適用されることを特徴とする請求項２に記載の画素配列構造。
【請求項４】
前記線表示は、直線表示領域、斜線表示領域、及び／又は曲線表示領域である単線表示領域を有する画面に適用されることを特徴とする請求項２に記載の画素配列構造。
【請求項５】
前記斜線表示領域と水平面との間に角θを有し、前記斜線表示領域内に複数行及び／又は複数列の画素表示部が設けられ、隣接する行及び／又は隣接する列の一部の画素表示部が並列して又は並んで設けられることによって、前記斜線表示領域における最も遠い距離に位置する２つの画素表示部の間の接続線と水平面とのなす角は、角θであることを特徴とする請求項４に記載の画素配列構造。
【請求項６】
角θの変化によって、前記直線表示領域及び斜線表示領域における画素表示部の配列構造は以下のとおりであり、
θ＝９０°又は０°である場合、前記画素表示部が表示領域に縦方向又は横方向に配列され、
θ＝３０°又は１５０°である場合、前記表示領域内に複数行の画素表示部群が設けられ、各画素表示部群が横方向に並んで設けられた３つの画素表示部を含み、各画素表示部群の両端の画素表示部がそれぞれそれと隣接する画素表示部群内の単一の画素表示部と並列して設けられ、前記表示領域の一端の最外側の一行に単一の画素表示部が設けられ、前記表示領域における最も遠い距離に位置する２つの画素表示部の間の接続線と水平面とのなす角が３０°又は１５０°であり、
θ＝４５°又は１３５°である場合、前記表示領域内に複数行の画素表示部群が設けられ、各画素表示部群が横方向に並んで設けられた２つの画素表示部を含み、各画素表示部群内の２つの画素表示部がそれぞれそれと隣接する画素表示部群内の画素表示部と並列して設けられ、前記表示領域における最も遠い距離に位置する２つの画素表示部の間の接続線と水平面とのなす角が４５°又は１３５°であり、
θ＝６０°又は１２０°である場合、前記表示領域内に複数列の画素表示部群が設けられ、各画素表示部群が縦方向に並列して設けられた３つの画素表示部を含み、各画素表示部群の両端の画素表示部がそれぞれそれと隣接する画素表示部群内の単一の画素表示部と並んで設けられ、前記表示領域の両端の最外側の一列にそれぞれ単一の画素表示部が設けられ、前記表示領域における最も遠い距離に位置する２つの画素表示部の間の接続線と水平面とのなす角が６０°又は１２０°であり、
４５°＜θ＜６０°である場合、画素表示部は、θ＝６０°の場合の配列方式に従って斜線の（６０−θ）／（６０−４５）を占め、θ＝４５°の場合の配列方式に従って斜線の（θ−４５）／（６０−４５）を占め、前記表示領域の長さがＬであり、画素表示部の長さがＬ０であり、前記表示領域には、横方向に配列されたＳ１個の画素表示部と縦方向に配列されたＳ２個の画素表示部が設けられ、
【数１】
2019504360.tif 000029
６０°＜θ＜９０°である場合、画素表示部は、θ＝９０°の場合の配列方式に従って斜線の（９０−θ）／（９０−６０）を占め、θ＝６０°の場合の配列方式に従って斜線の（θ−６０）／（９０−６０）を占め、前記表示領域の長さがＬであり、画素表示部の長さがＬ０であり、前記表示領域には、横方向に配列されたＳ３個の画素表示部と縦方向に配列されたＳ４個の画素表示部が設けられていることを特徴とする請求項５に記載の画素配列構造。
【数２】
2019504360.tif 000030
【数３】
2019504360.tif 000031
【請求項７】
前記表示領域が曲線表示領域である場合、曲線表示領域は、角度の異なる短い斜め線分に分けられ、各斜め線分に２〜３個の画素表示部が設けられ、
前記斜め線分内に複数行及び／又は複数列の画素表示部が設けられ、隣接する行及び／又は隣接する列の一部の画素表示部が並列して又は並んで設けられて斜め線分における最も遠い距離に位置する２つの画素表示部の間の接続線と水平面とのなす角は、角θであることを特徴とする請求項５に記載の画素配列構造。
【請求項８】
前記面表示は、画素を配列する場合に、角度の異なる斜線表示領域と境界線表示領域に分けられる面表示領域を有する画面に適用され、
各斜線表示領域に複数行及び／又は複数列の画素表示部が設けられ、隣接する行及び／又は隣接する列の一部の画素表示部が並列して又は並んで設けられて斜線表示領域における最も遠い距離に位置する２つの画素表示部の間の接続線と水平面とのなす角を斜線と水平面とのなす角に等しくし、
境界線表示領域は、角度の異なる短い斜め線分表示領域に分けられ、各斜め線分表示領域内に２〜３個の画素表示部が設けられ、前記斜め線分表示領域内に複数行及び／又は複数列の画素表示部が設けられ、隣接する行及び／又は隣接する列の一部の画素表示部が並列して又は並んで設けられて斜め線分表示領域における最も遠い距離に位置する２つの画素表示部の間の接続線と水平面とのなす角を斜め線分と水平面とのなす角に等しくすることを特徴とする請求項２に記載の画素配列構造。
【請求項９】
前記画素表示部は、赤色発光副画素、緑色発光副画素、青色発光副画素のうちの一種又は複数種を含むことを特徴とする請求項１〜８のいずれか一項に記載の画素配列構造。
【請求項１０】
プロファイル表示領域と非表示領域に分けられる基板と、基板に設けられ、連続的な格子構造が形成される複数の画素画定層が設けられるＴＦＴ駆動層とを含むプロファイル表示画面であって、
前記プロファイル表示領域に位置する画素画定層が開孔構造であり、前記非表示領域に位置する画素画定層が非開孔状態であり、前記プロファイル表示領域内に請求項１〜８のいずれか一項に記載の画素配列構造で配列された画素表示部が設けられていることを特徴とするプロファイル表示画面。
【請求項１１】
外側にマスクフレームとシャドーマスクが順次設けられ、複数のウィンドウ領域を含んで平行に設けられる複数のマスクストライプを含むプロファイル表示画面を製造するための蒸着マスクであって、前記ウィンドウ領域には、前記プロファイル表示領域の画素配列構造に適合するフルエッチング開孔領域と、ハーフエッチング開孔領域とが設けられていることを特徴とするプロファイル表示画面を製造するための蒸着マスク。
【請求項１２】
請求項１０に記載のプロファイル表示画面の製造方法であって、
基板にＴＦＴ駆動層を製造し、かつＴＦＴ駆動層に有機フォトレジスト層を塗布するステップと、プロファイル表示領域内の有機フォトレジスト層を露光現像することにより、開孔構造を有し配列構造がプロファイル表示領域内の画素配列構造に適合する画素画定層を形成するステップと、請求項１１に記載の蒸着マスクを用いて開孔構造を有する画素画定層に画素表示部を堆積するステップとを含むことを特徴とするプロファイル表示画面の製造方法。
【請求項１３】
前記蒸着マスクのフルエッチング開孔領域は、前記プロファイル表示領域の画素配列構造に適合することを特徴とする請求項１２に記載のプロファイル表示画面の製造方法。
【国際調査報告】
2019504360.tif 000032
2019504360.tif 000033
2019504360.tif 000034
2019504360.tif 000035
2019504360.tif 000036
2019504360.tif 000037